(57)【要約】【課題】ユーザにとって使いやすいメニュー画面を表示する。【解決手段】テレビジョン放送の表示機能を有する装置１０は、当該装置を使用するユーザの操作熟練度合いを示すユーザレベルが登録されるユーザレベル管理部３０５と、ユーザレベル管理部に登録されたユーザレベルに応じて、装置の操作を行うためのメニュー画面において表示される一または複数の操作メニューを選択し、選択された当該操作メニューを表示するための処理を行う操作メニュー表示処理部３０６と、を備える。【選択図】図３
2009070275.tif 000002
【特許請求の範囲】
【請求項１】
テレビジョン放送の表示機能を有する装置であって、
当該装置を使用するユーザの操作熟練度合いを示すユーザレベルが登録されるユーザレベル管理部と、
前記ユーザレベル管理部に登録されたユーザレベルに応じて、前記装置の操作用のメニュー画面において表示される一または複数の操作メニューを選択し、選択された当該操作メニューを表示するための処理を行う操作メニュー表示処理部と、
を備えることを特徴とするテレビジョン放送の表示機能を有する装置。
【請求項２】
前記ユーザレベル管理部は、新規ユーザが前記装置を使用する場合に、当該新規ユーザによるユーザレベルの登録を受け付けることを特徴とする請求項１に記載のテレビジョン放送の表示機能を有する装置。
【請求項３】
前記ユーザレベル管理部は、ユーザの操作経験値を演算し、当該操作経験値に基づいてユーザレベルを決定することを特徴とする請求項１に記載のテレビジョン放送の表示機能を有する装置。
【請求項４】
前記ユーザレベル管理部は、ユーザによる前記装置の操作時間および操作回数に基づいて前記操作経験値を演算することを特徴とする請求項３に記載のテレビジョン放送の表示機能を有する装置。
【請求項５】
前記操作メニュー表示処理部は、ユーザの操作経験値が上昇してユーザレベルが変更された場合に、ユーザレベルの変更に伴って追加された操作メニューおよびその利用方法を説明するためのチュートリアル画面を表示するための処理を行うことを特徴とする請求項３または４のいずれか１項に記載のテレビジョン放送の表示機能を有する装置。
【請求項６】
前記操作メニュー表示処理部は、ユーザレベルに応じて選択された前記操作メニュー以外の操作メニューにマスクを施すことにより、選択された前記操作メニューのみを表示することを特徴とする請求項１に記載のテレビジョン放送の表示機能を有する装置。
【請求項７】
前記操作メニュー表示処理部は、
第１のユーザレベルに応じてテレビジョン放送の視聴機能に対応する操作メニューを選択して表示し、
第２のユーザレベルに応じてテレビジョン放送の視聴機能、録画機能および再生機能に対応する操作メニューを選択して表示し、
第３のユーザレベルに応じてテレビジョン放送の視聴機能、録画機能、再生機能および応用機能に対応する操作メニューを選択して表示することを特徴とする請求項１に記載のテレビジョン放送の表示機能を有する装置。
【請求項８】
ユーザのログインを管理するログイン管理部をさらに備え、
前記ユーザレベル管理部は、前記ログイン管理部によりログインが確認されたユーザのユーザレベルを認識し、
前記操作メニュー表示処理部は、ログインが確認されたユーザのユーザレベルに応じて一または複数の操作メニューを選択して表示するための処理を行うことを特徴とする請求項１〜７のいずれか１項に記載のテレビジョン放送の表示機能を有する装置。
【請求項９】
前記テレビジョン放送および前記操作用メニュー画面を表示する表示部をさらに備えることを特徴とする請求項１〜８のいずれか１項に記載のテレビジョン放送の表示機能を有する装置。
【請求項１０】
テレビジョン放送の表示機能を有する装置の操作用のメニュー画面を表示する方法であって、
当該装置を使用するユーザの操作熟練度合いを示すユーザレベルを登録し、
登録されたユーザレベルに応じて、前記装置の操作用のメニュー画面において表示される一または複数の操作メニューを選択し、選択された当該操作メニューを表示することを特徴とするメニュー画面の表示方法。
【発明の詳細な説明】
【技術分野】
【０００１】
本発明は、テレビジョン放送の表示機能を有する装置および当該装置におけるメニュー画面の表示方法に関する。
【背景技術】
【０００２】
従来文献（特許文献１）には、従来技術に係るコンピュータが示されている。この従来技術に係るコンピュータでは、ユーザの使用履歴をもとにした初動設定画面を表示し、ユーザによる操作態様をユーザ履歴として格納して評価し、評価値にもとづいてユーザによる自発的意志により初動設定画面を更新する。
【特許文献１】特開２００１−２０２１７２号公報
【発明の開示】
【発明が解決しようとする課題】
【０００３】
テレビジョン放送を受信して表示する装置として、テレビジョン装置やパーソナルコンピュータなどが一般に用いられている。これらの装置では、当該装置を操作するためにメニュー画面が表示される。このメニュー画面では、テレビジョン放送の表示、録画、再生などの複数の機能の各々に対応する操作メニューが表示されるのであるが、当該装置の利用を開始して間もないユーザにとっては、多数の操作メニューが表示されると当該装置を利用するのが困難になってしまうという問題がある。
【０００４】
本発明は、上記の課題を解決するためになされたもので、ユーザにとって使いやすいメニュー画面を表示するテレビジョン放送の表示機能を有する装置、およびユーザにとって使いやすいメニュー画面の表示方法を提供することを目的とする。
【課題を解決するための手段】
【０００５】
上述した目的を達成するために、本発明は、テレビジョン放送の表示機能を有する装置であって、当該装置を使用するユーザの操作熟練度合いを示すユーザレベルが登録されるユーザレベル管理部と、ユーザレベル管理部に登録されたユーザレベルに応じて、装置の操作を行うためのメニュー画面において表示される一または複数の操作メニューを選択し、選択された当該操作メニューを表示するための処理を行う操作メニュー表示処理部と、を備えることを特徴とするテレビジョン放送の表示機能を有する装置である。
【０００６】
また、本発明は、テレビジョン放送の表示機能を有する装置の操作を行うためのメニュー画面を表示する方法であって、当該装置を使用するユーザの操作熟練度合いを示すユーザレベルを登録し、登録されたユーザレベルに応じて、装置の操作を行うためのメニュー画面において表示される一または複数の操作メニューを選択し、選択された当該操作メニューを表示することを特徴とするメニュー画面の表示方法である。
【発明の効果】
【０００７】
本発明によれば、ユーザにとって使いやすいメニュー画面を表示するテレビジョン放送の表示機能を有する装置、およびユーザにとって使いやすいメニュー画面の表示方法を提供することができる。
【発明を実施するための最良の形態】
【０００８】
以下、添付図面を参照して、本発明の好適な実施形態について詳細に説明する。なお、説明において、同一要素または同一機能を有する要素には、同一符号を用いることとし、重複する説明は省略する。
【０００９】
［パーソナルコンピュータの構成］
図１および図２を参照して、本発明の実施形態に係るパーソナルコンピュータ１０の構成について説明する。本実施形態において、パーソナルコンピュータ１０は、ノートブック型パーソナルコンピュータであるが、デスクトップ型パーソナルコンピュータであってもよい。
【００１０】
図１はノートブック型パーソナルコンピュータ１０のディスプレイユニットを開いた状態における正面図である。本コンピュータ１０は、コンピュータ本体１１と、ディスプレイユニット１２とから構成されている。ディスプレイユニット１２には、ＴＦＴ−ＬＣＤ（Thin Film Transistor Liquid Crystal Display）１７から構成される表示装置が組み込まれており、そのＬＣＤ１７の表示画面はディスプレイユニット１２のほぼ中央に位置されている。
【００１１】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１０を電源オン／オフするためのパワーボタン１４、入力操作パネル１５、およびタッチパッド１６などが配置されている。
【００１２】
入力操作パネル１５は、押下されたボタンに対応するイベントを入力する入力装置であり、複数の機能をそれぞれ起動するための複数のボタンを備えている。これらボタン群には、ＴＶ起動ボタン１５Ａも含まれている。ＴＶ起動ボタン１５Ａは、ＴＶ放送録画データの再生および記録を行うためのＴＶ機能を起動するためのボタンである。ＴＶ起動ボタン１５Ａがユーザによって押下された時、ＴＶ機能を実行するためのＴＶアプリケーションプログラムが起動される。
【００１３】
本コンピュータにおいては、汎用の主オペレーティングシステムの他に、ＡＶ（オーディオ・ビデオ）データを処理するための専用の副オペレーティングシステムがインストールされている。ＴＶアプリケーションプログラムは、副オペレーティングシステム上で動作するプログラムである。
【００１４】
パワーボタン１４がユーザによって押下された時、主オペレーティングシステムが起動される。一方、ＴＶ起動ボタン１５Ａがユーザによって押下された時は、主オペレーティングシステムではなく、副オペレーティングシステムが起動され、そしてＴＶアプリケーションプログラムが自動的に実行される。副オペレーティングシステムはＡＶ機能を実行するための最小限の機能のみを有している。このため、副オペレーティングシステムのブートアップに要する時間は、主オペレーティングシステムのブートアップに要する時間に比べて遙かに短い。よって、ユーザは、ＴＶ起動ボタン１５Ａを押すだけで、ＴＶ視聴／録画／再生を即座に行うことが出来る。
【００１５】
次に、図２を参照して、本コンピュータ１０のシステム構成について説明する。
【００１６】
本コンピュータ１０は、図２に示すように、ＣＰＵ１１１、ノースブリッジ１１２、メインメモリ１１３、グラフィクスコントローラ１１４、サウスブリッジ１１９、ＢＩＯＳ−ＲＯＭ１２０、ハードディスクドライブ（ＨＤＤ）１２１、光ディスクドライブ（ＯＤＤ）１２２、アナログＴＶチューナ１２３Ａ、デジタルＴＶチューナ１２３Ｂ、エンベデッドコントローラ／キーボードコントローラＩＣ（ＥＣ／ＫＢＣ）１２４、およびネットワークコントローラ１２５等を備えている。
【００１７】
ＣＰＵ１１１は本コンピュータ１０の動作を制御するために設けられたプロセッサであり、ハードディスクドライブ（ＨＤＤ）１２１からメインメモリ１１３にロードされる、主オペレーティングシステム（主ＯＳ）／副オペレーティングシステム（副ＯＳ）や、ＴＶアプリケーションプログラム１０１等の各種アプリケーションプログラムを実行する。なお、主ＯＳおよび副ＯＳは、ユーザによる本コンピュータ１０へのログインを管理する機能を有している。
【００１８】
ＴＶアプリケーションプログラム１０１は、ユーザによる録画予約を管理する機能、録画予約された番組を録画してその録画データをハードディスク１２１に記憶する機能、およびハードディスク１２１に記憶された録画データを再生する機能を有している。
【００１９】
また、ＣＰＵ１１１は、ＢＩＯＳ−ＲＯＭ１２０に格納されたシステムＢＩＯＳ（BasicInput Output System）も実行する。システムＢＩＯＳはハードウェア制御のためのプログラムである。
【００２０】
ノースブリッジ１１２はＣＰＵ１１１のローカルバスとサウスブリッジ１１９との間を接続するブリッジデバイスである。ノースブリッジ１１２には、メインメモリ１１３をアクセス制御するメモリコントローラも内蔵されている。また、ノースブリッジ１１２は、ＡＧＰ（Accelerated Graphics Port）バスなどを介してグラフィクスコントローラ１１４との通信を実行する機能も有している。
【００２１】
グラフィクスコントローラ１１４はＬＣＤ１７を制御する表示コントローラである。このグラフィクスコントローラ１１４はビデオメモリ（ＶＲＡＭ）１１４Ａに書き込まれた映像データをＬＣＤ１７に表示する。
【００２２】
サウスブリッジ１１９は、ＬＰＣ（Low Pin Count）バス上の各デバイス、およびＰＣＩ（PeripheralComponent Interconnect）バス上の各デバイスを制御する。また、サウスブリッジ１１９は、ＨＤＤ１２１、ＯＤＤ１２２を制御するためのＩＤＥ（IntegratedDrive Electronics）コントローラを内蔵している。さらに、サウスブリッジ１１９は、ＴＶチューナ１２３Ａ，１２３Ｂを制御する機能、およびＢＩＯＳ−ＲＯＭ１２０をアクセス制御するための機能も有している。
【００２３】
ＨＤＤ１２１は、各種ソフトウェアおよびデータを格納する記憶装置であり、特許請求の範囲に記載されるデータ記憶部に相当する。ＨＤＤ１２１は、ユーザにより登録された録画予約リストを記憶すると共に、ＴＶチューナ１２３Ａ，１２３Ｂにより受信された録画データを記憶する。録画予約リストは、録画予約された番組を特定するための録画予約情報（番組タイトル、放送チャンネル、放送時間等）、録画データの保存先を特定するための保存先設定情報（ユーザ個別フォルダまたは共有フォルダ）等を含んでいる。
【００２４】
光ディスクドライブ（ＯＤＤ）１２２は、ビデオコンテンツが格納されたＤＶＤ、ＣＤなどの記憶メディアを駆動するためのドライブユニットである。ＴＶチューナ１２３Ａ，１２３Ｂは、ＴＶ放送波を受信して、ＴＶ放送番組のような放送録画データを取得するための受信装置である。
【００２５】
エンベデッドコントローラ／キーボードコントローラＩＣ（ＥＣ／ＫＢＣ）１２４は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１２４は、ユーザによるパワーボタン１４の操作に応じて本コンピュータ１０をパワーオン／パワーオフする機能を有している。さらに、エンベデッドコントローラ／キーボードコントローラＩＣ（ＥＣ／ＫＢＣ）１２４は、ユーザによるＴＶ起動ボタン１５Ａの操作に応じて、本コンピュータ１０をパワーオンすることもできる。ネットワークコントローラ１２５は、例えばインターネットなどの外部ネットワークとの通信を実行する通信装置である。
【００２６】
［ＴＶアプリケーションプログラム］
図３は、本コンピュータ１０により実行されるＴＶアプリケーションプログラム１０１の機能ブロックを示している。ＴＶアプリケーション１０１を構成する機能ブロックとしては、ＴＶ表示処理部３０１、録画処理部３０２、再生処理部３０３、写真表示処理部３０４、ユーザレベル管理部３０５、操作メニュー表示処理部３０６がある。なお、主ＯＳおよび副ＯＳの機能ブロックとしては、ログイン管理部４０１がある。
【００２７】
ＴＶ表示処理部３０１は、ユーザによるリモートコントローラの操作に応じて、ユーザが視聴を希望する番組を受信するようにＴＶチューナ１２３Ａ，１２３Ｂを制御するための処理を行い、ＴＶチューナ１２３Ａ，１２３Ｂにより受信された映像を表示画面１７に表示するための処理を行う。また、ＴＶ表示処理部３０１は、ユーザによるリモートコントローラの操作によりユーザが視聴を希望する番組が変更された場合には、ＴＶチューナ１２３Ａ，１２３Ｂを制御するための処理を行い、ＴＶチューナ１２３Ａ，１２３Ｂにより受信される番組を変更する。
【００２８】
録画処理部３０２は、ユーザによるリモートコントローラの操作に応じて、ユーザが視聴を希望する番組を受信するようにＴＶチューナ１２３Ａ，１２３Ｂを制御するための処理を行い、ＴＶチューナ１２３Ａ，１２３Ｂにより受信された映像を録画データとしてハードディスク１２１に記憶するための処理を行う。また、録画処理部３０２は、ハードディスク１２１に記憶された録画予約リストを読み出して、録画予約リストに含まれる番組の放送時間になると当該番組を受信するようにＴＶチューナ１２３Ａ，１２３Ｂを制御するための処理を行い、ＴＶチューナ１２３Ａ，１２３Ｂにより受信された映像を録画データとしてハードディスク１２１に記憶するための処理を行う。
【００２９】
再生処理部３０３は、ユーザによるリモートコントローラの操作に応じて、ハードディスク１２１に記憶された録画データを読み出して、この録画データを再生して映像を表示画面１７に表示するための処理を行う。
【００３０】
写真表示処理部３０４は、ユーザによるリモートコントローラの操作に応じて、ＴＶアプリケーション１０１の応用機能である写真表示機能を実行する。具体的には、写真表示処理部３０４は、ユーザによるリモートコントローラの操作に応じて、メモリカード等の記憶媒体に記憶された写真を表示画面１７に表示するための処理を行う。なお、ＴＶアプリケーション１０１は、写真表示機能に代えて、その他の応用機能を有してもよい。
【００３１】
ユーザレベル管理部３０５は、本コンピュータ１０を使用するユーザのユーザレベルを管理する。ここで、ユーザレベルとは、パーソナルコンピュータ１０の操作に関するユーザの熟練度合いであり、本実施形態では初心者、中級者、上級者の３種類のユーザレベルが用意されている。ユーザレベル管理部３０５は、ユーザレベルを管理するためにユーザレベル管理テーブルを保有している。ユーザレベル管理テーブルには、本コンピュータ１０を利用したことのあるユーザの各々に対応付けてユーザレベルが登録されている。
【００３２】
ユーザレベル管理部３０５は、新規ユーザが本コンピュータ１０を使用する場合には、新規ユーザによるユーザレベルの登録を受け付けて、新規ユーザのユーザレベルをユーザ管理テーブルに登録する。また、ユーザレベル管理部３０５は、ユーザがＴＶアプリケーション１０１を使用している間、ユーザによるＴＶアプリケーション１０１の操作時間および操作回数に基づいて操作経験値を演算し、操作経験値が予め設定された閾値を超えるとユーザレベルを一段上のレベルに変更する。そして、ユーザレベル管理部３０５は、変更後のユーザレベルをユーザ管理テーブルに登録する。なお、ユーザレベル管理部３０５は、例えば、操作時間および操作回数を累算することで操作経験値を演算すればよい。
【００３３】
ユーザレベル管理部３０５は、ユーザごとにユーザレベルを管理する。ユーザレベル管理部３０５は、ログイン管理部４０１からログイン中のユーザを識別する情報（以下、ユーザ識別情報と呼ぶ）を取り込むと、ユーザレベル管理テーブルからユーザ識別情報により特定されるユーザに対応付けられたユーザレベルを読み出す。そして、ユーザレベル管理部３０５は、読み出したユーザレベルを操作メニュー表示処理部３０６に渡す。
【００３４】
なお、ユーザによるＴＶアプリケーション１０１の利用が終了してＴＶアプリケーション１０１がメインメモリ１１３から消去される時に、ユーザレベル管理部３０５は、ユーザレベル管理テーブルのデータをハードディスク１２１に保存する。これにより、ユーザがＴＶアプリケーション１０１を再度利用する時に、ユーザはユーザレベルを登録し直す必要がない。また、ユーザレベル管理部３０５は、ユーザの操作経験値のデータをハードディスク１２１に保存する。これにより、ユーザがＴＶアプリケーション１０１を再度利用する時に、ハードディスク１２１に保存された演算途中の操作経験値から操作経験値の演算を続けることができる。
【００３５】
操作メニュー表示処理部３０６は、ユーザレベル管理部３０５から渡されたユーザレベルに応じて、本コンピュータ１０の操作用のメニュー画面において表示される一または複数の操作メニューを選択し、選択された当該操作メニューを表示するための処理を行う。また、操作メニュー表示処理部３０６は、ユーザの操作経験値が上昇してユーザレベルが一段上のレベルに変更された場合に、ユーザレベルの変更に伴って追加された操作メニューおよびその利用方法を説明するためのチュートリアル画面を表示するための処理を行う。
【００３６】
図４は、ユーザレベルと使用可能機能との対応関係を示している。ユーザレベルが初心者である場合には、ユーザが使用可能な機能はＴＶ放送の視聴のみであり、メニュー画面においてＴＶ放送の視聴のための操作メニューが表示される。ユーザレベルが中級者である場合には、ユーザが使用可能な機能はＴＶ放送の視聴、録画および再生であり、メニュー画面においてＴＶ放送の視聴、録画および再生のための操作メニューが表示される。ユーザレベルが上級者である場合には、ユーザが使用可能な機能はＴＶ放送の視聴、録画、再生、および写真の表示であり、メニュー画面においてＴＶ放送の視聴、録画、再生および写真の表示のための操作メニューが表示される。
【００３７】
ログイン管理部４０１は、ユーザによる本コンピュータ１０へのログインを管理する。具体的には、ログイン管理部４０１は、本コンピュータ１０が起動された直後に、ユーザＩＤおよびパスワードの入力を促すログイン用画面を表示画面１７に表示するための処理を行い、ユーザによりユーザＩＤおよびパスワードが入力されると、ユーザＩＤおよびパスワードの組み合わせが適正か否かを判定する。ここで、ユーザＩＤおよびパスワードの組み合わせが適正である場合には、ログイン管理部４０１は、ユーザのログインを許可すると共に、本コンピュータ１０を使用するユーザを識別するための情報（ユーザ識別情報）をユーザレベル管理部３０５に引き渡す。
【００３８】
図５は、本コンピュータ１０により実行されるＴＶアプリケーションプログラム１０１の処理のフローチャートであり、特に、本コンピュータ１０の操作用のメニュー画面を表示するための処理のフローチャートである。
【００３９】
本コンピュータ１０の起動直後のログイン画面において、ユーザがキーボードを操作してユーザＩＤおよびパスワードを適正に入力すると、本コンピュータ１０はユーザのログインを許可する（Ｓ５０１）。また、本コンピュータ１０は、このユーザのログインによりユーザ識別情報を取得する。
【００４０】
次に、本コンピュータ１０は、ユーザレベル管理テーブルを参照して、ユーザ識別情報に対応付けてユーザレベルが登録されているか否かを判定する（Ｓ５０２）。ユーザ識別情報に対応付けてユーザレベルが登録されていない場合には、本コンピュータ１０は、ユーザレベル登録用の入力画面を表示して、ユーザにユーザレベルの入力を促す。そして、ユーザによりユーザレベルが入力されると、本コンピュータ１０は、入力されたユーザレベルをユーザレベル管理テーブルにログイン中のユーザに対応付けて登録する。
【００４１】
ステップ５０２においてユーザレベルが登録されていると判定された場合、または、ステップ５０３においてユーザレベルが登録された場合には、本コンピュータ１０の処理はステップ５０４に進む。ステップ５０４において、本コンピュータ１０は、メニュー画面を表示画面１７に表示する。例えば、ログイン中のユーザのユーザレベルが初心者であれば、本コンピュータ１０は、図６に示されるメニュー画面を表示画面１７に表示する。図６に示されるメニュー画面では、ＴＶ放送を視聴するための「ＴＶ」メニューのみが表示されており、他のメニューはマスクされて表示されていない。よって、ログイン中のユーザは、ＴＶアプリケーション１０１のＴＶ放送視聴機能に限って利用可能となる。
【００４２】
その後、ユーザがＴＶアプリケーション１０１を利用している間、本コンピュータ１０は、ログイン中のユーザのＴＶアプリケーション１０１の操作時間および操作回数を累積することで操作経験値を演算する（Ｓ５０５）。そして、本コンピュータ１０は、定期的に操作経験値がレベルアップ条件を満たしているか否かを判定する（Ｓ５０６）。本コンピュータ１０は、操作経験値がレベルアップ条件を満たしていないと判定した場合には、操作経験値がレベルアップ条件を満たすまで操作経験値の演算を繰り返す（Ｓ５０５）。
【００４３】
ステップ５０６において操作経験値がレベルアップ条件を満たしていると判定された場合には、本コンピュータ１０は、ログイン中のユーザのユーザレベルを一段上のレベルに変更し、ユーザレベル管理テーブルに登録されたログイン中のユーザのユーザレベルを書き換える（Ｓ５０７）。そして、本コンピュータ１０は、ユーザにレベルアップを知らせるチュートリアルアニメーションを表示する（Ｓ５０８）。このチュートリアルアニメーションは、ログイン中のユーザが利用可能となったＴＶアプリケーション１０１の機能の種類を知らせるための映像を表示画面１７に表示した後に、各機能の利用方法を教授するための映像を表示画面１７に表示するものである。
【００４４】
チュートリアルアニメーションの表示が終わると、本コンピュータ１０の処理はステップ５０４に戻る。ステップ５０４において、本コンピュータ１０は、メニュー画面を表示画面１７に表示する。例えば、ログイン中のユーザのユーザレベルが初心者から中級者に変更された場合には、本コンピュータ１０は、図７に示されるメニュー画面を表示画面１７に表示する。図７に示されるメニュー画面では、ＴＶ放送を視聴するための「ＴＶ」メニューと、番組を録画するための「録画」メニューと、録画した番組を再生するための「再生」メニューが表示されており、写真を表示するための「写真」メニューはマスクされて表示されていない。よって、ログイン中のユーザは、ＴＶアプリケーション１０１のＴＶ放送視聴機能、番組録画機能、番組再生機能に限って利用可能となる。
【００４５】
また例えば、ログイン中のユーザのユーザレベルが中級者から上級者に変更された場合には、本コンピュータ１０は、図８に示されるメニュー画面を表示画面１７に表示する。図８に示されるメニュー画面では、ＴＶ放送を視聴するための「ＴＶ」メニューと、番組を録画するための「録画」メニューと、録画した番組を再生するための「再生」メニューと、写真を表示するための「写真」メニューが表示されている。よって、ログイン中のユーザは、ＴＶアプリケーション１０１のＴＶ放送視聴機能、番組録画機能、番組再生機能、写真表示機能を利用可能となる。
【００４６】
本実施形態のパーソナルコンピュータ１０は、パーソナルコンピュータ１０の操作に関するユーザの熟練度合いに応じて、メニュー画面において表示される操作メニューを変更する。すなわち、ユーザがＴＶアプリケーション１０１を使用して間もない初心者である場合には、ＴＶアプリケーション１０１の基本的機能に対応する操作メニューを表示する。ユーザがＴＶアプリケーション１０１をある程度使用した経験のある中級者である場合には、ＴＶアプリケーション１０１の標準的機能に対応する操作メニューを表示する。ユーザがＴＶアプリケーション１０１の使用に精通した上級者である場合には、ＴＶアプリケーション１０１の全機能に対応する操作メニューを表示する。このようにユーザの熟練度合いに応じてメニュー画面を変更するため、メニュー画面をユーザにとって使いやすくすることができる。
【００４７】
以上、本発明の好適な実施形態に係るパーソナルコンピュータについて説明したが、本発明は上述した実施形態に限定されない。
【図面の簡単な説明】
【００４８】
【図１】本実施形態のパーソナルコンピュータの外観を示す斜視図である。
【図２】本実施形態のパーソナルコンピュータの内部構成を示すブロック図である。
【図３】ＴＶアプリケーションプログラムの機能ブロック図である。
【図４】ユーザレベルと使用可能機能との対応関係を示す対応表である。
【図５】ＴＶアプリケーションプログラムのフローチャートである。
【図６】初心者用のメニュー画面を示す図である。
【図７】中級者用のメニュー画面を示す図である。
【図８】上級者用のメニュー画面を示す図である。
【符号の説明】
【００４９】
１０…ノートブック型パーソナルコンピュータ、１１…コンピュータ本体、１２…ディスプレイユニット、１０１…ＴＶアプリケーションプログラム、１２１…ハードディスク、１２２…光ディスク、１２３Ａ，１２３Ｂ…ＴＶチューナ、３０１…表示処理部、３０２…録画処理部、３０３…再生処理部、３０４…写真表示処理部、３０５…ユーザレベル管理部、３０６…操作メニュー表示処理部、４０１…ログイン管理部。
【図１】
2009070275.tif 000003
【図２】
2009070275.tif 000004
【図３】
2009070275.tif 000005
【図４】
2009070275.tif 000006
【図５】
2009070275.tif 000007
【図６】
2009070275.tif 000008
【図７】
2009070275.tif 000009
【図８】
2009070275.tif 000010